(57)【特許請求の範囲】
【請求項１】
ステンレス鋼管内にルースに収容される複数本の光ファイバと、ステンレス鋼管内の空隙部に光ファイバ相互の間隙を埋めるように充填されるジェリーコンパウンドとを有するルースチューブ型の光ファイバユニットに、複数本のアルミ被覆鋼線又は亜鉛メッキ鋼線を撚り合わせた光ファイバ複合架空地線において、
前記光ファイバユニットが、前記ステンレス鋼管１本を、アルミ外管内にルースに収容して形成したものであり、
前記複数本のアルミ被覆鋼線又は亜鉛メッキ鋼線で形成される撚り合わせ層が内外二層構造になっていて、内側のアルミ被覆鋼線又は亜鉛メッキ鋼線がセグメント形状であり、
この内側のアルミ被覆鋼線又は亜鉛メッキ鋼線が前記アルミ外管に接していることを特徴とする光ファイバ複合架空地線。
【発明の詳細な説明】
【技術分野】
【０００１】
本発明は光ファイバ複合架空地線に関するものである。
【背景技術】
【０００２】
近年、増加する電力需要に伴い、保守管理等の情報も益々複雑多岐にわたるようになり、光ファイバを送電線の架空地線と組み合わせ、送電線と通信線の機能を一体化した光ファイバ複合架空地線（ＯＰＧＷ）が開発され実用化されている。
【０００３】
この光ファイバ複合架空地線としては、例えば、図４に示すように、アルミ管２内に収納される長手方向に複数のらせん溝４が形成されたアルミスペーサ３と、各らせん溝４内に収納される複数本の光ファイバ５とを有する光ファイバユニット１に、複数本のアルミ被覆鋼線６を撚り合わせた固定型の架空地線がある。なお、本明細書に記載されたアルミはすべてアルミ合金を含むものである。
【０００４】
また、図５に示すように、ステンレス鋼管８内にルースに収納される複数本の光ファイバ５と、ステンレス鋼管８内の空隙部に光ファイバ５相互の間隙を埋めるように充填されるジェリーコンパウンド９とを有するルースチューブ型の光ファイバユニット７に、複数本のアルミ被覆鋼線６又は亜鉛メッキ鋼線を撚り合わせたステンレスルースチューブ型の架空地線等がある。
【特許文献１】特開平１１−２４２１４６号公報
【発明の開示】
【発明が解決しようとする課題】
【０００５】
前記光ファイバ複合架空地線において、特に図５に示すステンレスルースチューブ型の架空地線は、構造が比較的簡単で製造も容易なこと、光ファイバの多心化に対応し易いこと、引張応力や曲げ応力の作用による光ファイバの歪みを緩和し易いこと等から海外で多く使用されている。
【０００６】
しかしながら、この種の光ファイバ複合架空地線を日本のような海に囲まれて腐食環境の厳しいところで使用すると、光ファイバユニットのステンレス鋼管と直接接触する部分におけるアルミ被覆鋼線又は亜鉛メッキ鋼線のアルミ又は亜鉛が腐食して内部の鋼線が露出する恐れが多くなる。このため、光ファイバ複合架空地線を長期間使用中に、その機械的、電気的特性が大きく損なわれるという問題があり、日本ではまだ広く使用されていない。
【０００７】
本発明は上記の課題を解決し、アルミ被覆鋼線又は亜鉛メッキ鋼線の耐食性を向上させ、光ファイバ複合架空地線の機械的、電気的特性を良好に維持すると共に、長期間安定して使用することができる光ファイバ複合架空地線を提供することを目的とする。
【課題を解決するための手段】
【０００８】
上記目的を達成するために、本発明は、ステンレス鋼管内にルースに収容される複数本の光ファイバと、ステンレス鋼管内の空隙部に光ファイバ相互の間隙を埋めるように充填されるジェリーコンパウンドとを有するルースチューブ型の光ファイバユニットに、複数本のアルミ被覆鋼線又は亜鉛メッキ鋼線を撚り合わせた光ファイバ複合架空地線において、前記光ファイバユニットが、前記ステンレス鋼管１本を、アルミ外管内にルースに収容して形成したものであり、前記複数本のアルミ被覆鋼線又は亜鉛メッキ鋼線で形成される撚り合わせ層が内外二層構造になっていて、内側のアルミ被覆鋼線又は亜鉛メッキ鋼線がセグメント形状であり、この内側のアルミ被覆鋼線又は亜鉛メッキ鋼線が前記アルミ外管に接していることを特徴とする。
【０００９】
上記構成の光ファイバ複合架空地線によると、ルースチューブ型の光ファイバユニットのアルミ外管が前記アルミ被覆鋼線又は亜鉛メッキ鋼線と直接接触することになる。そうすると、相互に接触する二つの金属間の電気化列におけるイオン化傾向が等しくなるか、若しくは、接近するので、光ファイバ複合架空地線の使用中に、光ファイバユニットのアルミ外管と直接接触する部分におけるアルミ被覆鋼線又は亜鉛メッキ鋼線のアルミ又は亜鉛が侵食するのを抑制し得る。従って、アルミ被覆鋼線又は亜鉛メッキ鋼線の耐食性が向上して鋼線が露出するようなことがなくなり、光ファイバ複合架空地線の機械的、電気的特性を良好に維持すると共に、腐食環境の厳しいところでも長期間安定して使用することができる。
【発明の効果】
【００１０】
本発明の光ファイバ複合架空地線によると、前記ルースチューブ型の光ファイバユニットがステンレス鋼管をアルミ外管内に収納して形成されるので、そのアルミ外管が前記アルミ被覆鋼線又は亜鉛メッキ鋼線と直接接触することになる。その結果、光ファイバ複合架空地線の使用中に、光ファイバユニットのアルミ外管と直接接触する部分におけるアルミ被覆鋼線又は亜鉛メッキ鋼線のアルミ又は亜鉛が侵食するのを抑制し得る。これにより、アルミ被覆鋼線又は亜鉛メッキ鋼線の耐食性が向上して鋼線が露出するようなことがなくなり、光ファイバ複合架空地線の機械的、電気的特性を良好に維持すると共に、腐食環境の厳しいところでも長期間安定して使用することができる。
【００１１】
また、アルミ外管内にステンレス鋼管を収納することにより、アルミ外管を造管しながらその内部にステンレス鋼管を収納することが可能になる。従って、ステンレス鋼管の外周面に押出加工等によりアルミ被覆層を設けるものよりも低費用でステンレス鋼管とアルミ被覆鋼線又は亜鉛メッキ鋼線との直接接触を容易に防ぐことが可能になり、光ファイバ複合架空地線のコストを低減することができる。
【発明を実施するための最良の形態】
【００１２】
本発明の実施形態を図面により詳細に説明する。図１に示す光ファイバ複合架空地線は、ステンレス鋼管（ＳＵＳ管）８内にルースに（緩く）収納される、ＵＶ樹脂（紫外線硬化樹脂）で一次被覆を施された複数本の光ファイバ５と、ステンレス鋼管８内の空隙部に光ファイバ５相互の間隙を埋めるように充填される、防水性、応力緩和特性に優れた、例えば、シリコン系、ポリブデン系のジェリーコンパウンド９とを有し、更に前記ステンレス鋼管８をアルミ外管１０内に収納して形成される１本のステンレスルースチューブ型の光ファイバユニット１１を備える。
【００１３】
前記ステンレス鋼管８をアルミ外管１０内に収納する場合には次のようにして行う。即ち、ステンレス鋼管８内に予め複数本の光ファイバ５をルースに収納してジェリーコンパウンド９を充填する。次に、このステンレス鋼管８にアルミテープを縦添えしながら、該テープをステンレス鋼管８の外周に円管状に成形し、アルミテープの両側縁突き合わせ部を溶接してアルミ外管１０を形成すると共に、その内部にステンレス鋼管８をルースに収納する。その後、アルミ外管１０は、必要に応じて、連続的に、若しくは、別工程において、縮径ダイス又は成形ロール等により縮径してもよい。
【００１４】
このように、アルミ外管１０内にステンレス鋼管８を収納することにより、アルミ外管１０を造管しながらその内部にステンレス鋼管８を収納することが可能になるので、ステンレス鋼管８の外周面に押出加工等によりアルミ被覆層を設けるものよりも低費用でステンレス鋼管８と後記のアルミ被覆鋼線６又は亜鉛メッキ鋼線との直接接触を容易に防ぐことができる。
【００１５】
前記構成の光ファイバユニット１１は、更に該ユニット１１を中心にしてその外周に同心状に複数本（６本）のアルミ被覆鋼線６を一層に撚り合わせ、このようにして光ファイバ複合架空地線を得る。なお、アルミ被覆鋼線６の代わりに亜鉛メッキ（溶射を含む。以下同じ）鋼線を使用して光ファイバユニット１１の外周に撚り合わせるようにしてもよい。
【００１６】
上記構成の光ファイバ複合架空地線によると、ルースチューブ型の光ファイバユニット１１のアルミ外管１０が前記アルミ被覆鋼線６又は亜鉛メッキ鋼線と直接接触することになり、ステンレス鋼管８が前記アルミ被覆鋼線６又は亜鉛メッキ鋼線とは接触しなくなる。そうすると、相互に接触する二つの金属間の電気化列におけるイオン化傾向が等しくなるか、若しくは、接近するので、光ファイバ複合架空地線の使用中に、光ファイバユニット１１のアルミ外管１０と直接接触する部分におけるアルミ被覆鋼線６又は亜鉛メッキ鋼線のアルミ又は亜鉛が侵食するのを抑制し得る。その結果、アルミ被覆鋼線６又は亜鉛メッキ鋼線の耐食性が向上して内部の鋼線が露出するようなことがなくなり、光ファイバ複合架空地線の機械的、電気的特性を良好に維持することができ、性能が安定して信頼性が向上する。
【００１７】
図２に示す光ファイバ複合架空地線は、図１に示す光ファイバ複合架空地線の変形例である。この光ファイバ複合架空地線は、光ファイバユニット１１の外周面に撚り合わされる複数本のアルミ被覆鋼線６が内外二層構造になっていて、内側のアルミ被覆鋼線６の断面形状がセグメント形状であり、外側のアルミ被覆鋼線６の断面形状が円形状に形成されるものである。なお、アルミ被覆鋼線６の代わりに亜鉛メッキ鋼線を使用してもよい。その他の構成は図１に示すものと同一である。
【００１８】
図３に示す光ファイバ複合架空地線は、図１に示す光ファイバ複合架空地線の更なる変形例である。この光ファイバ複合架空地線は、３本の光ファイバユニット１１と４本のアルミ被覆鋼線６とを撚り合わせて撚線コア１２を形成し、該撚線コア１２の外周に更に複数本のアルミ線１３を撚り合わせて構成されるものである。なお、アルミ線１３の代わりにアルミ被覆鋼線６を使用してもよい。また、このアルミ被覆鋼線６及び撚線コア１２のアルミ被覆鋼線６の代わりに亜鉛メッキ鋼線を使用してもよい。その他の構成は図１に示すものと同一である。
【図面の簡単な説明】
【００１９】
【図１】本発明の一実施形態を示す横断面図である。
【図２】本発明の他の実施形態を示す横断面図である。
【図３】本発明の更に他の実施形態を示す横断面図である。
【図４】従来の光ファイバ複合架空地線の１例を示す横断面図である。
【図５】従来の光ファイバ複合架空地線の他例を示す横断面図である。
【符号の説明】
【００２０】
５        光ファイバ
６        アルミ被覆鋼線
８        ステンレス鋼管
９        ジェリーコンパウンド
１０        アルミ外管
１１        光ファイバユニット
１２        撚線コア
１３        アルミ線
【図１】
0004495123.tif 000002
【図２】
0004495123.tif 000003
【図３】
0004495123.tif 000004
【図４】
0004495123.tif 000005
【図５】
0004495123.tif 000006